(57)【要約】【課題】  インターネットバンキング等のインターネット経由のオンライン取引サービスにおいて、パブリックスペースに設置された共用端末からオンライン取引サーバにアクセスした際に保存されるインターネット一時ファイルや履歴情報を自動的に消去して、取引の安全を確保する。【解決手段】  オンライン取引サーバ３０にパブリックスペースに設置された端末２０からログインすると、ログアウト時に端末２０に一時ファイル２１等を消去するか否かの選択画面を表示させ、消去が選択された場合にはオンライン取引サーバ３０から端末２０で一時ファイル２１等を消去するための実行ファイル３２を送信して、端末に保存された一時ファイル２１と履歴情報２２を自動消去する。【選択図】        図１
2007058357.tif 000002
【特許請求の範囲】
【請求項１】
インターネット経由でオンライン取引サーバにアクセスしたクライアント端末に保存されるインターネット一時ファイルを消去するための、オンライン取引サーバに備えられるファイル消去システムであって、
クライアント端末からログイン要求を受け付けて、前記クライアント端末とのセッションを確立するセッション確立手段と、
前記セッションの継続中に、前記クライアント端末からログアウト要求を受け付けると、前記クライアント端末に保存されたインターネット一時ファイルを消去するか否かの選択画面を表示するためのファイルを前記クライアント端末に送信する選択画面送信手段と、
前記クライアント端末から前記選択画面において前記インターネット一時ファイルの消去が選択されたことを示す情報を受け付けると、前記クライアント端末において前記インターネット一時ファイルを消去するための実行ファイルを前記クライアント端末に送信する実行ファイル送信手段と、
前記クライアント端末からの前記実行ファイルによる前記インターネット一時ファイルの消去完了通知と、ログアウト要求の受け付けを確認して、前記セッションの切断処理を実行するセッション切断手段と、
を備えることを特徴とするファイル消去システム。
【請求項２】
前記実行ファイル送信手段の送信する実行ファイルには、前記インターネット一時ファイルの消去と併せて前記クライアント端末に保存されたインターネットの閲覧履歴データを消去する命令が含まれていること
を特徴とする請求項１記載のファイル消去システム。
【請求項３】
インターネット経由でオンライン取引サーバにアクセスしたクライアント端末に保存されるインターネット一時ファイルを消去するための、オンライン取引サーバによって実行されるファイル消去方法であって、
オンライン取引サーバが、クライアント端末からログイン要求を受け付けて、前記クライアント端末とのセッションを確立するセッション確立ステップと、
前記オンライン取引サーバが、前記セッションの継続中に、前記クライアント端末からログアウト要求を受け付けると、前記クライアント端末に保存されたインターネット一時ファイルを消去するか否かの選択画面を表示するためのファイルを前記クライアント端末に送信する選択画面送信ステップと、
前記オンライン取引サーバが、前記クライアント端末から前記選択画面において前記インターネット一時ファイルの消去が選択されたことを示す情報を受け付けると、前記クライアント端末において前記インターネット一時ファイルを消去するための実行ファイルを前記クライアント端末に送信する実行ファイル送信ステップと、
前記オンライン取引サーバが、前記クライアント端末からの前記実行ファイルによる前記インターネット一時ファイルの消去完了通知と、ログアウト要求の受け付けを確認して、前記セッションの切断処理を実行するセッション切断ステップと、
を有することを特徴とするファイル消去方法。
【請求項４】
前記実行ファイル送信ステップで送信される実行ファイルには、前記インターネット一時ファイルの消去と併せて前記クライアント端末に保存されたインターネットの閲覧履歴データを消去する命令が含まれていること
を特徴とする請求項３記載のファイル消去方法。
【発明の詳細な説明】
【技術分野】
【０００１】
本発明は、インターネット経由でオンライン取引サーバにアクセスしたクライアント端末に保存されるインターネット一時ファイルを消去するための、オンライン取引サーバに備えられるファイル消去システム、及びオンライン取引サーバにより実行されるファイル消去方法に関するものである。
【背景技術】
【０００２】
インターネットを経由したオンライン取引システムにおいて、取引サーバにアクセスするクライアント端末を簡易に識別するための方法として、Ｗｅｂサーバから所定の情報を送信してクライアント端末に保存し、ＷｅｂサーバへのＨＴＭＬ要求時にはクライアント端末から保存した情報を送信するｃｏｏｋｉｅが広く利用されている。オンライン取引においてｃｏｏｋｉｅを用いると、ユーザＩＤやパスワードをｃｏｏｋｉｅに保存することにより、取引サーバではｃｏｏｋｉｅの情報を受け取ることによって利用者の認証手続を省略することが可能になる。
【０００３】
上記のケースで問題になるのが、ｃｏｏｋｉｅに利用者の重要な個人情報が記録されてクライアント端末内に保存される可能性があるため、同じクライアント端末を使用した第三者が当該利用者に成り代わって取引システムにアクセスできてしまうリスクが生じることである。特に、複数の利用者が共有するパーソナルコンピュータを用いたり、インターネットカフェなどのように不特定多数の利用者に使用されるパーソナルコンピュータを用いたりするなど、パブリックスペースにおいてオンライン取引を行う場合には、取引を終えた後にはｃｏｏｋｉｅをはじめとするインターネット一時ファイルや、操作内容が特定し得る履歴情報などを消去しておくことが望ましい。
【０００４】
ｃｏｏｋｉｅ等の消去は、通常はブラウザで所定の操作を行うことによって可能となっているが、全ての利用者が消去の操作に習熟しているわけではないことや、インターネットに接続してもオンライン取引等を行わない場合には必ずしも消去は必要でないことなどから、利用者に確実に消去のための操作を促すことは容易でない。インターネット環境でオンライン取引サービスを提供する場合においては、利用者がパブリックスペースからアクセスする可能性を排除することができないため、高い安全性が要求されるインターネットバンキング等では、ｃｏｏｋｉｅ等の消去が特に重要な課題となっている。
【０００５】
このような課題に対応した技術として、例えば、ブラウザの終了やＷｅｂページの改ページなどのタイミングにおいて、ｃｏｏｋｉｅ等の所定のセキュリティデータを記憶装置から自動的に削除するセキュリティシステムに関する発明が開示されている（特許文献１参照。）。
【０００６】
【特許文献１】特開平１１−３１６７２７号公報
【発明の開示】
【発明が解決しようとする課題】
【０００７】
上記の特許文献１記載のセキュリティシステムを用いると、利用者には特段の操作を要求することなく、ｃｏｏｋｉｅを消去することが可能になる。しかしながら、このセキュリティシステムはクライアント端末側に設けられるものであるため、利用者が使用する可能性のあるコンピュータにはそれぞれ専用のプログラムをインストールしなければならない。パブリックスペースに設置される全てのクライアント端末に専用のプログラムをインストールすることは殆ど不可能であるため、利用者がどの端末からアクセスするかを特定することができないインターネットバンキング等に適用することは、事実上困難である。
【０００８】
本発明は、このような課題に対応するためになされたものであり、インターネットバンキング等のインターネット経由のオンライン取引サービスにおいて、パブリックスペースに設置された共用のクライアント端末からオンライン取引サーバにアクセスした際に保存されるインターネット一時ファイルや履歴情報を消去するための、オンライン取引サーバに備えられるファイル消去システム、及びオンライン取引サーバにより実行されるファイル消去方法に関するものである。
【課題を解決するための手段】
【０００９】
このような課題を解決するために、本発明は、インターネット経由でオンライン取引サーバにアクセスしたクライアント端末に保存されるインターネット一時ファイルを消去するための、オンライン取引サーバに備えられるファイル消去システムであって、クライアント端末からログイン要求を受け付けて、前記クライアント端末とのセッションを確立するセッション確立手段と、前記セッションの継続中に、前記クライアント端末からログアウト要求を受け付けると、前記クライアント端末に保存されたインターネット一時ファイルを消去するか否かの選択画面を表示するためのファイルを前記クライアント端末に送信する選択画面送信手段と、前記クライアント端末から前記選択画面において前記インターネット一時ファイルの消去が選択されたことを示す情報を受け付けると、前記クライアント端末において前記インターネット一時ファイルを消去するための実行ファイルを前記クライアント端末に送信する実行ファイル送信手段と、前記クライアント端末からの前記実行ファイルによる前記インターネット一時ファイルの消去完了通知と、ログアウト要求の受け付けを確認して、前記セッションの切断処理を実行するセッション切断手段と、を備えることを特徴とする。
【００１０】
また、本発明は、前記実行ファイル送信手段の送信する実行ファイルには、前記インターネット一時ファイルの消去と併せて前記クライアント端末に保存されたインターネットの閲覧履歴データを消去する命令が含まれていることを特徴とすることもできる。
【００１１】
本発明では、オンライン取引サーバにクライアント端末からログインすると、ログアウト時にクライアント端末にインターネット一時ファイルを消去するか否かの選択画面を表示させ、消去が選択された場合にはオンライン取引サーバからクライアント端末でインターネット一時ファイルを消去するための実行ファイルを送信することによって、クライアント側では特別な操作を行わなくても、オンライン取引によってクライアント端末に保存されたインターネット一時ファイルを消去することができる。パブリックスペースに設置されたクライアント端末を用いてオンライン取引を行う場合には、ログアウト時にインターネット一時ファイルの消去を選択することによって、パスワード等の重要情報がクライアント端末に保存されることを防止することができる。
【００１２】
本発明におけるオンライン取引サーバには、インターネットバンキングの取引サーバ、インターネット証券の取引サーバ、インターネットショッピングサーバなど、登録ユーザがインターネット経由でアクセスし、本人認証を行った後に取引を行うためのＷｅｂサーバが含まれる。取引は金銭の移動を伴うものに限られず、ニュース等の情報提供に用いられるサーバを対象としてもよい。
【００１３】
削除されるインターネット一時ファイルには、パスワード等が書き込まれることがあるｃｏｏｋｉｅの他に、アクセスしたページを特定されるおそれがあるクライアント端末にキャッシュされたイメージファイル等を含むことが好ましい。また、操作内容を追跡されるおそれがある履歴情報についても、消去の対象とすることが好ましい。
【００１４】
インターネット一時ファイルを消去するための実行ファイルの種類は特に限定されるものではないが、例えば、クライアント端末のブラウザに含まれるインターネット一時ファイルを消去するプログラムに消去の実行を命ずるためのコマンドファイルや、クライアント端末においてインターネット一時ファイルを消去するプログラムファイルを送信することとすればよい。
【００１５】
さらに、本発明は、本発明にかかるオンライン取引サーバに備えられるファイル消去システムによって実行されるファイル消去方法として特定することもできる。
【００１６】
つまり、本発明にかかるファイル消去方法は、インターネット経由でオンライン取引サーバにアクセスしたクライアント端末に保存されるインターネット一時ファイルを消去するための、オンライン取引サーバによって実行されるファイル消去方法であって、オンライン取引サーバが、クライアント端末からログイン要求を受け付けて、前記クライアント端末とのセッションを確立するセッション確立ステップと、前記オンライン取引サーバが、前記セッションの継続中に、前記クライアント端末からログアウト要求を受け付けると、前記クライアント端末に保存されたインターネット一時ファイルを消去するか否かの選択画面を表示するためのファイルを前記クライアント端末に送信する選択画面送信ステップと、前記オンライン取引サーバが、前記クライアント端末から前記選択画面において前記インターネット一時ファイルの消去が選択されたことを示す情報を受け付けると、前記クライアント端末において前記インターネット一時ファイルを消去するための実行ファイルを前記クライアント端末に送信する実行ファイル送信ステップと、前記オンライン取引サーバが、前記クライアント端末からの前記実行ファイルによる前記インターネット一時ファイルの消去完了通知と、ログアウト要求の受け付けを確認して、前記セッションの切断処理を実行するセッション切断ステップと、を有することを特徴とする。前記実行ファイル送信ステップで送信される実行ファイルには、前記インターネット一時ファイルの消去と併せて前記クライアント端末に保存されたインターネットの閲覧履歴データを消去する命令が含まれていることを特徴とすることもできる。
【発明の効果】
【００１７】
本発明によって、パブリックスペースに設置されたクライアント端末を用いてオンライン取引を行う場合であっても、利用者が消去のための特別な操作を行わなくても、パスワード等の重要情報を含むインターネット一時ファイルや、アクセス履歴などがクライアント端末に保存されるのを防止することができる。その結果、インターネットバンキング等のオンライン取引の安全性を高めることが可能になる。
【発明を実施するための最良の形態】
【００１８】
本発明を実施するための最良の形態について、図面を用いて以下に詳細に説明する。尚、以下の説明は、本発明にかかるファイル消去システムの実施形態の一例であって、本発明は以下の実施形態に限定されるものではない。また、以下では主として本発明にかかるファイル消去システムをインターネットバンキング用のオンライン取引サーバに適用する例について説明するが、本発明の適用分野はインターネットバンキングに限定されるものではなく、他のオンライン取引サーバにも適用することができる。
【００１９】
図１は、本発明にかかるファイル消去システムの実施形態の概要を示す図である。図２、図３は、本発明にかかるファイル消去システムをインターネットバンキングシステムに適用する場合の、操作画面の一例を示すそれぞれ第１、第２の図である。図４〜図６は、本発明にかかるファイル消去システムによる、それぞれオンライン取引サーバの処理フローを示す第１のフローチャート、クライアント端末の処理フローを示すフローチャート、オンライン取引サーバの処理フローを示す第２のフローチャートである。
【００２０】
図１において、本発明にかかるファイル消去システムは、オンライン取引サーバ３０に備えられている。オンライン取引サーバ３０は、インターネットバンキング、インターネット証券取引、オンラインショッピング等に用いられるＷｅｂサーバであって、パーソナルコンピュータ等の端末からインターネットを通じてアクセスして、オンライン取引を行うことができる。
【００２１】
まず、オンライン取引の利用者が、自宅等で使用する端末１０からオンライン取引サーバ３０にアクセスするケースについて説明する。端末１０からオンライン取引サーバ３０にアクセスし、オンライン取引サーバ３０とのセッションが確立され、オンライン取引が開始されると、ログインの際に入力したユーザＩＤ等がｃｏｏｋｉｅに、アクセスしたページのイメージファイル等が一時ファイル１１として端末１０の所定のフォルダに保存される。
【００２２】
一時ファイル１１としてユーザＩＤを含むｃｏｏｋｉｅが保存されると、例えば取引操作時に所定の時間放置されて再度本人認証が要求されるようなケースにおいて、オンライン取引サーバ３０へｃｏｏｋｉｅを付した情報を送信することによって、ユーザＩＤを改めて認証することなく再ログインを要求することができる。一時ファイル１１としてアクセスしたページのイメージファイルが保存されると、例えば複数のページで用いられているロゴ等のイメージファイルをページの読み出し毎にオンライン取引サーバ３０から取得しなくても、端末１０にキャッシュされたファイルを使用することによって処理効率を高めることができる。
【００２３】
また、オンライン取引サーバ３０へのアクセス履歴は、履歴情報１２として端末１０の所定のフォルダに保存される。履歴情報１２に保存された操作履歴は、端末１０のブラウザによって表示可能であり、端末１０の利用者はブラウザに表示される履歴情報を用いて、過去にアクセスしたページを速やかに特定することができる。
【００２４】
利用者がオンライン取引を終了してログアウトを行いたい場合には、端末１０に表示されている取引画面において、ログアウトのボタンを選択して押下する。図２は、インターネットバンキングの取引画面の一例であるが、右上部分にログアウトのための選択ボタンが表示されている。
【００２５】
取引画面においてログアウトのボタンを押下すると、端末１０よりオンライン取引サーバ３０にログアウトの処理要求が送信される。オンライン取引サーバ３０で処理要求を受け付けると、ファイル消去プログラム３１が起動され、端末１０にインターネット一時ファイル等を消去するか否かを選択させるための画面を表示させるためのファイルを送信する。
【００２６】
端末１０は、オンライン取引サーバ３０からインターネット一時ファイル等の消去を選択するための画面を表示するファイルを受け付けて、取引画面にこれを表示する。図３は、インターネットバンキングの取引画面の一例であるが、オンライン取引によって端末１０に保存された全ての情報を消去するか否かについての選択ボタンが表示されている。
【００２７】
利用者の操作する端末１０が、自宅等に設置された利用者専用の端末である場合には、ｃｏｏｋｉｅ等の情報を消去してしまうと、次回の取引時に本人認証等の初回と同じ操作や処理が必要になってしまうため、通常は消去を行わないように「いいえ」のボタンが選択され、押下される。「いいえ」のボタンが押下されると、端末１０よりオンライン取引サーバ３０に消去を行わないことを示す情報が送信され、オンライン取引サーバ３０ではファイル消去プログラム３１による処理が終了する。
【００２８】
この段階で、オンライン取引サーバ３０はログアウト命令を受けたものと判断して、端末１０とのセッションの切断処理を実行することとしてもよいが、利用者のログアウトの意思を再度確認するために、ログアウト処理実行の確認画面を端末１０に送信することとしてもよい。この場合は、端末１０でログアウト処理実行の確認ボタンが押下されたことをオンライン取引サーバ３０が受け付けると、端末１０とのセッションの切断処理を実行する。セッションの切断処理が行われると、端末１０にログアウトが完了したことを示す表示画面が送信される。
【００２９】
以上のように、自宅等に設置された利用者専用の端末１０を用いてオンライン取引を行う場合には、ファイル消去プログラム３１による端末１０のファイル消去のための処理は実行されず、端末１０には一時ファイル１１と履歴情報１２が保存され、これらの情報は次回以降のオンライン取引サーバ３０へのアクセス時等に利用される。
【００３０】
次に、オンライン取引の利用者が、ネットカフェ等のパブリックスペースで使用する端末２０からオンライン取引サーバ３０にアクセスするケースについて説明する。端末２０からオンライン取引サーバ３０にアクセスし、オンライン取引サーバ３０とのセッションが確立され、オンライン取引が開始されると、ログインの際に入力したユーザＩＤ等がｃｏｏｋｉｅに、アクセスしたページのイメージファイル等が一時ファイル２１として端末２０の所定のフォルダに保存され、オンライン取引サーバ３０へのアクセス履歴が、履歴情報２２として端末２０の所定のフォルダに保存されることは、端末１０からアクセスする場合と同様である。
【００３１】
利用者がオンライン取引を終了してログアウトを行いたい場合には、端末１０の場合と同様に、図２の例に示したように、端末２０に表示されている取引画面において、ログアウトのボタンを選択して押下する。端末２０からは、オンライン取引サーバ３０にログアウトの処理要求が送信され、オンライン取引サーバ３０で処理要求を受け付けると、ファイル消去プログラム３１が起動され、端末２０にインターネット一時ファイル等を消去するか否かを選択させるための画面を表示するためのファイルを送信する。
【００３２】
端末２０は、オンライン取引サーバ３０からインターネット一時ファイル等の消去を選択するための画面を表示するファイルを受け付けて、図３の例に示したように、保存された全ての情報を消去するか否かについての選択ボタンを含む取引画面を表示する。
【００３３】
利用者の操作する端末２０は、パブリックスペースに設置された共用の端末であるため、ｃｏｏｋｉｅ等の情報を端末２０に保存したままとすると、他人が端末２０を操作した際に、ｃｏｏｋｉｅの情報によって利用者の専用ページにログインして取引を行ったり、アクセス履歴等から不正に個人情報を特定したりするリスクが生じてしまう。そこで、利用者に対してインターネット一時ファイル等の消去を促すために、「全ての情報を消去する」のボタンが表示される。利用者はこのボタンを選択して押下することによって、インターネット一時ファイル等を消去することができる。
【００３４】
「全ての情報を消去する」のボタンが押下されると、端末２０よりオンライン取引サーバ３０に消去を要求することを示す情報が送信され、オンライン取引サーバ３０ではファイル消去プログラム３１によって、端末２０に保存されたインターネット一時ファイル等を消去するための動作が実行される。
【００３５】
具体的には、端末２０にインターネット一時ファイル等を消去する動作を実行させるための実行ファイル３２を、端末２０に送信する。実行ファイル３２の種類は特に限定されるものではないが、例えば、端末２０のブラウザに含まれるインターネット一時ファイルを消去するプログラムに消去の実行を命ずるためのコマンドファイルや、端末２０においてインターネット一時ファイルを消去するプログラムファイルを用いることができる。
【００３６】
端末２０において、オンライン取引サーバ３０から送信された実行ファイル３２を受け付けると、実行ファイル３２の処理命令に従って、端末２０に保存されている一時ファイル２１、履歴情報２２が全て消去される。実行ファイル３２がブラウザに含まれるインターネット一時ファイルを消去するプログラムに消去の実行を命ずるためのコマンドファイルである場合には、端末２０のブラウザの消去機能が起動されて、一時ファイル２１と履歴情報２２が消去される。実行ファイル３２がインターネット一時ファイルを消去するプログラムである場合には、実行ファイル３２自身の動作によって、一時ファイル２１と履歴情報２２が消去される。
【００３７】
端末２０において、一時ファイル２１と履歴情報２２を全て消去する処理が終了すると、オンライン取引サーバ３０に対して、消去が完了したことを示す情報が送信される。利用者は既に一度ログアウトボタンを押下しているため、この段階でオンライン取引サーバ３０はログアウト命令を受けたものと判断して、端末２０とのセッションの切断処理を実行することとしてもよいが、利用者のログアウトの意思を再度確認するために、ログアウト処理実行の確認画面を端末２０に送信することとしてもよい。この場合は、端末２０でログアウト処理実行の確認ボタンが押下されたことをオンライン取引サーバ３０が受け付けると、端末２０とのセッションの切断処理を実行する。セッションの切断処理が行われると、端末２０にログアウトが完了したことを示す表示画面が送信される。
【００３８】
以上のように、パブリックスペースに設置された共用の端末２０を用いてオンライン取引を行う場合には、ファイル消去プログラム３１によって送信される実行ファイル３２の動作によって、端末２０の一時ファイル２１と履歴情報２２が消去される。これによって、パスワード等のオンライン取引において扱われた重要情報は全て端末２０から消去されるため、取引の安全を確保することができる。
【００３９】
図４のフローチャートは、本発明にかかるファイル消去システムによって、オンライン取引サーバがクライアント端末にインターネット一時ファイル等の消去命令を送信する処理フローを示している。オンライン取引サーバがクライアント端末からオンライン取引のログイン要求を受け付けると（Ｓ０１）、ＩＤとパスワードによる本人認証等によってログインを受け付けるか否かを判定する（Ｓ０２）。ログインが受け付けられない場合には、クライアント端末へのエラー画面の送信などのエラー処理が行われ（Ｓ０８）、処理を終了する。
【００４０】
ログインが受け付けられた場合には、クライアント端末からの要求に従って、例えばインターネットバンキングであれば、残高照会、振込等の各々の取引処理を実行する（Ｓ０３）。ログアウトの要求を受け付けるまでは要求された取引処理を繰返すが（Ｓ０３〜Ｓ０４）、ログアウトの要求を受け付けると（Ｓ０４）、インターネット一時ファイル等の全消去を行うか否かの選択画面を表示するためのファイルをクライアント端末に送信する（Ｓ０５）。
【００４１】
クライアント端末から、全消去の要求を受け付けた場合には（Ｓ０６）、クライアント端末にインターネット一時ファイル等の全消去するための処理命令を送信する（Ｓ０７）。クライアント端末において全消去の要求が選択されなかった場合には（Ｓ０６）、ログアウト処理に移行する。
【００４２】
図５のフローチャートは、本発明にかかるファイル消去システムよりインターネット一時ファイル等の全消去命令を受け付けた、クライアント端末の処理フローを示している。クライアント端末が、インターネット一時ファイル等の全消去するための処理命令を受け付けると（Ｓ０９）、クライアント端末においてブラウザ等の動作によって、インターネット一時ファイルの削除や、インターネットの閲覧履歴のクリア等の処理が行われる（Ｓ１０）。消去の処理が完了すると、消去完了通知がオンライン取引サーバに送信される（Ｓ１１）。
【００４３】
図６のフローチャートは、本発明にかかるファイル消去システムによって、オンライン取引サーバがクライアント端末のログアウト処理を実行する処理フローを示している。オンライン取引サーバがクライアント端末から消去完了通知を受け付けると（Ｓ１２）、クライアント端末に対してログアウト確認画面を表示するためのファイルを送信する（Ｓ１３）。先の全消去の選択画面において全消去が選択されなかった場合においても、同様にログアウト確認画面を表示するためのファイルを送信する（Ｓ１３）。
【００４４】
確認画面が表示されたクライアント端末から、再度ログアウトの要求を受け付けた場合には（Ｓ１４）、ログイン時に確立したセッションの切断処理を実行し（Ｓ１５）、クライアント端末にログアウトの完了を知らせるためのセッションの切断通知を送信する（Ｓ１６）。確認画面においてログアウトが選択されず、ログアウトの要求が受け付けられなかった場合には（Ｓ１４）、セッションの切断処理は行われず、取引処理が実行可能な状態が継続される。
【図面の簡単な説明】
【００４５】
【図１】本発明にかかるファイル消去システムの実施形態の概要を示す図である。
【図２】本発明にかかるファイル消去システムをインターネットバンキングシステムに適用する場合の、操作画面の一例を示す第１の図である。
【図３】本発明にかかるファイル消去システムをインターネットバンキングシステムに適用する場合の、操作画面の一例を示す第２の図である。
【図４】本発明にかかるファイル消去システムによる、オンライン取引サーバの処理フローを示す第１のフローチャートである。
【図５】本発明にかかるファイル消去システムによる、クライアント端末の処理フローを示すフローチャートである。
【図６】本発明にかかるファイル消去システムによる、オンライン取引サーバの処理フローを示す第２のフローチャートである。
【符号の説明】
【００４６】
１０  端末
１１  一時ファイル
１２  履歴情報
２０  端末
２１  一時ファイル
２２  履歴情報
３０  オンライン取引サーバ
３１  ファイル消去プログラム
３２  実行ファイル
【図１】
2007058357.tif 000003
【図４】
2007058357.tif 000004
【図５】
2007058357.tif 000005
【図６】
2007058357.tif 000006
【図２】
2007058357.tif 000007
【図３】
2007058357.tif 000008
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
インターネット経由でオンライン取引サーバにアクセスしたクライアント端末に保存されるインターネット一時ファイルを消去するための、オンライン取引サーバに備えられるファイル消去システムであって、
クライアント端末からログイン要求を受け付けて、前記クライアント端末とのセッションを確立するセッション確立手段と、
前記セッションの継続中に、前記クライアント端末からログアウト要求を受け付けると、前記クライアント端末に保存されたインターネット一時ファイルを消去するか否かの選択画面を表示するためのファイルを前記クライアント端末に送信する選択画面送信手段と、
前記クライアント端末から前記選択画面において前記インターネット一時ファイルを消去することが選択されたことを示す情報を受け付けた場合には、前記クライアント端末において前記インターネット一時ファイルを消去するための実行ファイルを前記クライアント端末に送信する実行ファイル送信手段と、
前記クライアント端末から前記選択画面において前記インターネット一時ファイルを消去しないことが選択されたことを示す情報を受け付けた場合、又は前記クライアント端末から前記選択画面において前記インターネット一時ファイルを消去することが選択されたことを示す情報を受け付けた場合であって、前記クライアント端末からの前記実行ファイルによる前記インターネット一時ファイルの消去完了通知を受け付けた場合、のいずれかにおいて、前記クライアント端末からのログアウト要求の受け付けを確認して、前記セッションの切断処理を実行するセッション切断手段と、
を備えることを特徴とするファイル消去システム。
【請求項２】
前記実行ファイル送信手段の送信する実行ファイルには、前記インターネット一時ファイルの消去と併せて前記クライアント端末に保存されたインターネットの閲覧履歴データを消去する命令が含まれていること
を特徴とする請求項１記載のファイル消去システム。
【請求項３】
インターネット経由でオンライン取引サーバにアクセスしたクライアント端末に保存されるインターネット一時ファイルを消去するための、オンライン取引サーバによって実行されるファイル消去方法であって、
オンライン取引サーバが、クライアント端末からログイン要求を受け付けて、前記クライアント端末とのセッションを確立するセッション確立ステップと、
前記オンライン取引サーバが、前記セッションの継続中に、前記クライアント端末からログアウト要求を受け付けると、前記クライアント端末に保存されたインターネット一時ファイルを消去するか否かの選択画面を表示するためのファイルを前記クライアント端末に送信する選択画面送信ステップと、
前記オンライン取引サーバが、前記クライアント端末から前記選択画面において前記インターネット一時ファイルを消去することが選択されたことを示す情報を受け付けた場合には、前記クライアント端末において前記インターネット一時ファイルを消去するための実行ファイルを前記クライアント端末に送信する実行ファイル送信ステップと、
前記オンライン取引サーバが、前記クライアント端末から前記選択画面において前記インターネット一時ファイルを消去しないことが選択されたことを示す情報を受け付けた場合、又は前記クライアント端末から前記選択画面において前記インターネット一時ファイルを消去することが選択されたことを示す情報を受け付けた場合であって、前記クライアント端末からの前記実行ファイルによる前記インターネット一時ファイルの消去完了通知を受け付けた場合、のいずれかにおいて、前記クライアント端末からのログアウト要求の受け付けを確認して、前記セッションの切断処理を実行するセッション切断ステップと、
を有することを特徴とするファイル消去方法。
【請求項４】
前記実行ファイル送信ステップで送信される実行ファイルには、前記インターネット一時ファイルの消去と併せて前記クライアント端末に保存されたインターネットの閲覧履歴データを消去する命令が含まれていること
を特徴とする請求項３記載のファイル消去方法。